(57)【要約】【課題】既設のポンプにも装着することが可能で、その取付状態も安定したポンプ用吸込渦防止部材を提供する。【解決手段】内部に羽根車１１を配設したポンプケース５と、ポンプケース５の下端に設けた吸込ベル６とを備え、ポンプケース５の下端と吸込ベル６の上端にそれぞれ取付フランジ部５ｂ，６ｃを設け、これらを締付金具によって固定するようにしたポンプに装着する吸込渦防止部材２０であって、吸込ベル６の取付フランジ部６ｃの下面に配設され締付金具によって一体的に固定される環状の上枠部２１と、上枠部２１から鉛直下向きに延びる複数の支持部２７と、支持部２７の下端に設けた下枠部２８と、装着状態で吸込ベル６の下部において所定の支持部２７から吸込ベル６の軸芯に向けて延びる邪魔板２９とを備えた構成とする。【選択図】図２
2010190184.tif 000002
【特許請求の範囲】
【請求項１】
内部に水を吸い上げる羽根車を配設した筒状のポンプケースと、該ポンプケースの下端に設けられ下向きに直径が漸次大きくなる略円錐筒状の拡径部を有する吸込ベルとを備え、前記ポンプケースの下端と吸込ベルの上端にそれぞれ取付フランジ部を設け、これらを締付金具によって固定するようにしたポンプに装着する吸込渦防止部材であって、
前記吸込ベルの取付フランジ部の下面に配設され前記締付金具によって一体的に固定される環状の上枠部と、該上枠部から鉛直下向きに延びる複数の支持部と、該支持部の下端に設けた下枠部と、装着状態で吸込ベルの下部において所定の支持部から吸込ベルの軸芯に向けて延びる邪魔板と、を備えること特徴とするポンプ用吸込渦防止部材。
【請求項２】
前記吸込ベルの下端外径は、前記取付フランジ部の内径より大きいもので、
前記上枠部を、前記支持部を連結した環状固定部と、該環状固定部とは別体に形成され前記取付フランジ部への装着状態で環状をなす２以上のスペーサ部材とで構成し、
前記取付フランジ部に対してスペーサ部材を前記締付金具で固定した後、該スペーサ部材に対して環状固定部を固定するようにしたことを特徴とする請求項１に記載のポンプ用吸込渦防止部材。
【請求項３】
前記吸込ベルの下端外径は、前記取付フランジ部の内径より大きいもので、
少なくとも前記上枠部および下枠部を、前記取付フランジ部への装着状態で平面視円形状をなすように２以上に分割し、各分割上枠部および分割下枠部を、前記支持部によって一体的に連結したことを特徴とする請求項１に記載のポンプ用吸込渦防止部材。
【発明の詳細な説明】
【技術分野】
【０００１】
本発明は、ポンプ用吸込渦防止部材に関するものである。
【背景技術】
【０００２】
雨水などは、吸水槽に排水された後にポンプによって吸い上げられ、下流側の処理場などの吐出水槽に排水される。この排水ポンプ場の吸水槽内では、給水量が増加すると流速が速くなるため、ポンプの後ろ側の領域、即ち吸水槽の閉鎖端側の水面に空気吸込渦が発生し易くなる。この空気を含む水がポンプに吸い込まれると、激しい振動や大きい騒音が発生するため、運転機能障害を引き起こしたり、機場の基礎や建屋などを劣化させる。
【０００３】
そこで、従来では、吸水槽に、その流入口から閉塞部に向けた通水方向に沿って延び、鉛直方向に突出する渦防止板を設ける構成としている。しかし、この構成は、渦防止板を吸水槽の基礎底面にボルトによって固定しなければならないため、吸水槽が乾燥した状態でなければ施工できない。よって、既設機場に施工する場合、仮設止水壁などを設置し、吸水槽内の水を排水して乾燥させた後に作業を行う必要があるため、多大の労力と費用が必要となる。
【０００４】
この問題を解消するための水中渦発生防止部材が特許文献１に記載されている。この水中渦発生防止部材は、円環状をなす上端フランジ部と、該上端フランジ部から下向きに突出する断面＋字形状の邪魔板と、該邪魔板の下端に設けた底板部とを備えている。そして、この水中渦発生防止部材は、略円錐筒状をなすポンプの吸込ベルの下端に、締結ボルトによって取り付ける構成としている。
【０００５】
しかしながら、この吸込渦防止部材は、吸込ベルの下端外周部に貫通孔を設け、この貫通孔に締結ネジを貫通させて取り付ける必要があるため、取付作業性が悪いという問題がある。また、吸込渦防止部材を固定するために貫通孔を設けた吸込ベルには、吸込渦防止部材の荷重が加わるうえ、作動時に水流による負荷が加わるため、該吸込ベルが破損する可能性が極めて高い。
【先行技術文献】
【特許文献】
【０００６】
【特許文献１】特開２００３−３２８９７８号公報
【発明の概要】
【発明が解決しようとする課題】
【０００７】
本発明は、従来の問題に鑑みてなされたもので、既設のポンプにも装着することが可能で、その取付状態も安定したポンプ用吸込渦防止部材を提供することを課題とするものである。
【課題を解決するための手段】
【０００８】
前記課題を解決するため、本発明のポンプ用吸込渦防止部材は、内部に水を吸い上げる羽根車を配設した筒状のポンプケースと、該ポンプケースの下端に設けられ下向きに直径が漸次大きくなる略円錐筒状の拡径部を有する吸込ベルとを備え、前記ポンプケースの下端と吸込ベルの上端にそれぞれ取付フランジ部を設け、これらを締付金具によって固定するようにしたポンプに装着する吸込渦防止部材であって、前記吸込ベルの取付フランジ部の下面に配設され前記締付金具によって一体的に固定される環状の上枠部と、該上枠部から鉛直下向きに延びる複数の支持部と、該支持部の下端に設けた下枠部と、装着状態で吸込ベルの下部において所定の支持部から吸込ベルの軸芯に向けて延びる邪魔板と、を備える構成としている。
【０００９】
本発明の吸込渦防止部材は、ポンプによる水の吸水中に吸込ベルの下部で発生した吸込渦を邪魔板で破壊および整流することができる。そのため、ポンプが激しく振動したり、大きな騒音が発生したりすることを防止でき、ポンプの運転機能障害や、機場の基礎や建屋などの劣化も防止できる。また、この吸込渦防止部材は、ポンプに装着する構成であるため、既設機場に水があってもポンプを取り出すことにより装着（施工）できる。
【００１０】
しかも、吸込渦防止部材は、ポンプのポンプケースと吸込ベルとを連結するための取付フランジ部に、締付金具を用いて一体的に固定するものであり、専用の貫通孔などを設ける必要はないため、取付作業性を向上できる。また、取付フランジ部は、十分な剛性を有するものであるため、吸込渦防止部材を装着した状態で運転することによる負荷にも十分に耐えることが可能であり、安定した取付状態を得ることができるとともに、破損の問題が生じることもない。
【００１１】
このポンプ用吸込渦防止部材では、前記吸込ベルの下端外径は、前記取付フランジ部の内径より大きいもので、前記上枠部を、前記支持部を連結した環状固定部と、該環状固定部とは別体に形成され前記取付フランジ部への装着状態で環状をなす２以上のスペーサ部材とで構成し、前記取付フランジ部に対してスペーサ部材を前記締付金具で固定した後、該スペーサ部材に対して環状固定部を固定することが好ましい。
または、前記吸込ベルの下端外径は、前記取付フランジ部の内径より大きいもので、少なくとも前記上枠部および下枠部を、前記取付フランジ部への装着状態で平面視円形状をなすように２以上に分割し、各分割上枠部および分割下枠部を、前記支持部によって一体的に連結することが好ましい。
このようにすれば、大径の吸込ベルを有するポンプであっても、容易かつ確実に装着することができる。
【発明の効果】
【００１２】
本発明のポンプ用吸込渦防止部材では、吸込ベルの下部で発生した吸込渦を邪魔板によって確実に破壊して整流できる。また、この吸込渦防止部材は、ポンプに装着する構成であるため、既設機場に水があっても施工できる。しかも、吸込渦防止部材は、ポンプケースと吸込ベルの取付フランジ部に締付金具を用いて一体的に固定するため、取付作業性を向上できる。また、取付フランジ部は、十分な剛性を有するものであるため、安定した取付状態を実現できるとともに、ポンプの破損を防止できる。
【図面の簡単な説明】
【００１３】
【図１】本発明に係る第１実施形態の吸込渦防止部材を適用したポンプを示す正面図である。
【図２】図１の要部拡大断面図である。
【図３】図２の分解斜視図である。
【図４】第１実施形態の吸込渦防止部材の構成を示す分解斜視図である。
【図５】第２実施形態の吸込渦防止部材を適用したポンプの要部拡大断面図である。
【図６】図５の分解斜視図である。
【図７】第２実施形態の吸込渦防止部材の構成を示す分解斜視図である。
【図８】吸込渦防止部材の変形例を示す斜視図である。
【図９】吸込渦防止部材の他の変形例を示す斜視図である。
【図１０】吸込渦防止部材の他の変形例を示す斜視図である。
【発明を実施するための形態】
【００１４】
以下、本発明の実施の形態を図面に従って説明する。
【００１５】
図１は、本発明の実施形態に係る吸込渦防止部材２０を適用したポンプ２を示す。この吸込渦防止部材２０は、図示しない流入側管路から排水ポンプ場の吸水槽１内に流入する雨水などを下流側に排水するポンプ２に装着することにより、吸水槽１内で発生する吸込渦を破壊して整流し、吸水能力を向上するためのものである。
【００１６】
まず、ポンプ２の構成について具体的に説明する。本実施形態のポンプ２は立軸ポンプであり、鉛直方向に延びるケーシング３を備えている。このケーシング３は、直管状の揚水管４と、揚水管４の下端に連結されたポンプケース５と、ポンプケース５の下端に連結された吸込ベル６と、揚水管４の上端に連結された吐出エルボ７とを備えている。そして、吐出エルボ７には、下流側の吐出水槽（図示せず）に排水するための吐出管８が更に連結されている。
【００１７】
前記揚水管４には、下端にポンプケース５を固定するための取付フランジ部４ａが設けられ、上端に吐出エルボ７を固定するための取付フランジ部４ｂが設けられている。前記ポンプケース５は、内部に羽根車１１を配設するためのもので、略楕円球状をなすように径方向外向きに膨出した筒状のものである。このポンプケース５には、上端に揚水管４を固定するための取付フランジ部５ａを設けられ、下端に吸込ベル６を固定するための取付フランジ部５ｂが設けられている。吸込ベル６は、吸水槽１内の水の吸込口を構成するもので、下向きに直径が漸次小さくなる略逆円錐筒状の縮径部６ａと、下向きに直径が漸次大きくなる略円錐筒状の拡径部６ｂとを有する。この吸込ベル６には、縮径部６ａの上端にポンプケース５を固定するための取付フランジ部６ｃが設けられている。吐出エルボ７は、鉛直方向から水平方向に湾曲する略Ｌ字形状のものである。この吐出エルボ７には、下向きに開口した一端に揚水管４を固定するための取付フランジ部７ａが設けられ、横向きに開口した他端に吐出管８を固定するための取付フランジ部７ｂが設けられている。吐出管８には、吐出エルボ７に固定するための取付フランジ部８ａが設けられている。
【００１８】
各取付フランジ部は、各開口端の外周部から径方向外向きに突出する円環状のものである。そして、図２に示すように、ポンプケース５の下端取付フランジ部５ｂには、周方向に所定間隔をもって上端を閉塞した雌ネジ穴９が設けられている。他の取付フランジ部には、周方向に所定間隔をもって貫通した挿通孔１０（図２，３参照）が設けられている。そして、ポンプケース５の取付フランジ部５ｂと吸込ベル６の取付フランジ部６ｃとは、取付フランジ部６ｃの挿通孔１０に締付金具であるボルトを貫通させ、取付フランジ部５ｂの雌ネジ穴９に締め付けることにより、境界部分から漏水が生じないように連結されている。また、揚水管４の取付フランジ部４ａとポンプケース５の取付フランジ部５ａ、揚水管４の取付フランジ部４ｂと吐出エルボ７の取付フランジ部７ａ、吐出エルボ７の取付フランジ部７ｂと吐出管８の取付フランジ部８ａは、それぞれ締付金具としてボルトとナットとを用い、一致させた挿通孔１０にボルトを貫通させてナットで締め付けることにより、境界部分から漏水が生じないように連結されている。
【００１９】
前記構成のケーシング３には、ポンプケース５内に吸水槽１内の水を吸い上げる羽根車１１が配設されている。この羽根車１１が下端に固定されている回転軸１２は、鉛直方向に延びてケーシング３の外部に上端が突出している。この回転軸１２の上端には、概略的に示すモータ、減速機構等からなる回転駆動機構１３が連結されている。なお、本実施形態のケーシング３は、吸込ベル６の下端の外径が、取付フランジ部６ｃの内径、更に具体的には取付フランジ部６ｃの挿通孔１０を設けた位置の直径より大きく形成されている。
【００２０】
次に、このポンプ２に装着する第１実施形態の吸込渦防止部材２０について説明する。
【００２１】
この吸込渦防止部材２０は、ポンプケース５と吸込ベル６とを連結するための取付フランジ部５ｂ，６ｃに固定されるものである。この吸込渦防止部材２０は、吸込ベル６の取付フランジ部６ｃの下面に配設される環状の上枠部２１と、上枠部２１から鉛直下向きに延びる複数の支持部２７と、支持部２７の下端に設けた下枠部２８と、支持部２７から吸込ベル６の軸芯に向けて内向きに延びる邪魔板２９とを備えている。
【００２２】
前記上枠部２１は、図３および図４に示すように、環状固定部２２と、環状固定部２２とは別体のスペーサ部材２４Ａ，２４Ｂとで構成されている。環状固定部２２は、吸込ベル６の取付フランジ部６ｃの挿通孔１０を形成した位置（直径）は勿論、吸込ベル６の下端外径より大きな内径を有する円環状のものである。この環状固定部２２には、周方向に所定間隔をもって複数のネジ挿通孔２３が設けられている。スペーサ部材２４Ａ，２４Ｂは、それぞれが取付フランジ部６ｃの下面に配設された状態で円環状をなす半円環状のものである。これらスペーサ部材２４Ａ，２４Ｂは、外径が環状固定部２２の外径と略同一に形成され、内径が取付フランジ部６ｃの内径と略同一に形成されている。即ち、このスペーサ部材２４Ａ，２４Ｂの内径は、吸込ベル６の下端外径より小さい。このスペーサ部材２４Ａ，２４Ｂには、環状固定部２２のネジ挿通孔２３と対応する位置に、同様の第１ネジ挿通孔２５が設けられ、ボルトとナットとからなる締付金具で一体的に固定される。これらネジ挿通孔２３，２５は、本実施形態では４５度間隔で８個設けられている。また、スペーサ部材２４Ａ，２４Ｂには、取付フランジ部６ｃの挿通孔１０と対応する位置に、同様の第２ネジ挿通孔２６が設けられ、ボルトにより吸込ベル６と一緒にポンプケース５に対して一体的に固定される。これら挿通孔１０，２６は、本実施形態では２２．５度間隔で１６個設けられている。しかも、内側に位置する第２ネジ挿通孔２６が、外側に位置する第１ネジ挿通孔２５に対して、径方向に一致しないように周方向に位相させて設けられている。
【００２３】
前記支持部２７は、上枠部２１を構成する環状固定部２２から、吸込ベル６の軸方向に沿って鉛直下向きに延びるように連結（接合）されたパイプからなる。この支持部２７は、環状固定部２２に対して周方向に所定間隔をもって複数設けられている。本実施形態では、環状固定部２２に対して４５度間隔で８本設けられている。しかも、周方向に一致するネジ挿通孔２３と重ならないように、ネジ挿通孔２３に対して所定角度（２２．５度）周方向に位相させて設けられている。
【００２４】
前記下枠部２８は、環状固定部２２と同一外径の円板状のもので、各支持部２７の下端が連結（接合）されている。
【００２５】
前記邪魔板２９は、ケーシング３への装着状態で吸込ベル６の下部に位置するように、下枠部２８から支持部２７に沿って所定高さで設けられている。本実施形態では、１本おきの支持部２７から邪魔板２９を内向きに突設することにより、平面視で＋字形状をなすように構成している。言い換えれば、邪魔板２９は、吸込ベル６の軸芯と一致する下枠部２８の中心から、略＋字形状をなすように軸方向に突設するとともに、径方向外向きに突設し、その外端が支持部２７に連結されている。
【００２６】
このように構成した吸込渦防止部材２０を既設排水ポンプ場のポンプ２に適用する場合には、吐出エルボ７と吐出管８を連結したボルトとナットとを外して、ポンプ２を取り出す。そして、ポンプケース５と吸込ベル６とを連結したボルトを外す。
【００２７】
ついで、吸込ベル６の取付フランジ部６ｃの下面側にスペーサ部材２４Ａ，２４Ｂを径方向外側から配設し、吸込ベル６の挿通孔１０とスペーサ部材２４Ａ，２４Ｂの第２ネジ挿通孔２６とを一致させ、ボルトにより締め付ける。これにより、スペーサ部材２４Ａ，２４Ｂを吸込ベル６と一緒にポンプケース５に固定する。
【００２８】
その後、環状固定部２２を吸込ベル６に覆い被せるように、吸込ベル６に対して環状固定部２２から軸方向に外嵌させ、該環状固定部２２をスペーサ部材２４Ａ，２４Ｂの下面に位置させる。そして、互いのネジ挿通孔２３，２５を一致させ、ボルトとナットにより一体的に固定する。
【００２９】
最後に、このようにして吸込渦防止部材２０を装着したポンプ２を、吸込渦防止部材２０の側から再び吸水槽１内に設置する。
【００３０】
なお、新設ポンプ場のポンプ２に吸込渦防止部材２０を適用する場合には、ポンプ２の組立時に前記と同様にして吸込渦防止部材２０を装着すればよい。
【００３１】
この吸込渦防止部材２０を装着したポンプ２は、吸水槽１内の水を排水（吸水）するために回転駆動機構１３を動作させると、隣接する支持部２７，２７間から径方向内向きに水が流入する。そして、邪魔板２９に衝突することにより、吸込ベル６の下部で発生する吸込渦を破壊および整流することができる。その結果、空気を含む水が羽根車１１に吸い込まれることを防止できる。そのため、ポンプ２が激しく振動したり、大きな騒音が発生したりすることを防止でき、ポンプ２の運転機能障害や、機場の基礎や建屋などの劣化も防止できる。また、本実施形態の吸込渦防止部材２０は、吸水槽１ではなく、ポンプ２に装着する構成であるため、既設機場の吸水槽１内に水があってもポンプ２を取り出すことにより装着（施工）できる。
【００３２】
しかも、吸込渦防止部材２０は、ポンプ２のポンプケース５と吸込ベル６とを連結するための取付フランジ部５ｂ，６ｃに、ボルトを用いて一体的に固定するものであり、専用の貫通孔などを設ける必要はないため、取付作業性を向上できる。さらに、ポンプ２のケーシング３を構成するための取付フランジ部５ｂ，６ｃは、十分な剛性を有する肉厚のものであるため、駆動中に水流が邪魔板２９に衝突することによる負荷にも十分に耐えることが可能である。そのため、安定した取付状態を実現できるとともに、ケーシング３に破損の問題が生じることもない。
【００３３】
そして、本実施形態のポンプ２は、吸込ベル６の下端が取付フランジ部６ｃより大きな直径を有するものであるが、上枠部２１を構成するスペーサ部材２４Ａ，２４Ｂを、２つに分割した構成としているため、確実に取付フランジ部６ｃに固定することが可能である。そして、このスペーサ部材２４Ａ，２４Ｂを介して確実に整流の目的を果たす邪魔板２９を配設することができる。
【００３４】
図５は、第２実施形態の吸込渦防止部材２０を装着したポンプ２を示す。この第２実施形態は、第１実施形態では上枠部２１を構成するスペーサ部材２４Ａ，２４Ｂを２分割構造としたのに対し、全体を２分割構造とした点で、大きく相違している。
【００３５】
具体的には、第２実施形態の吸込渦防止部材２０は、図６および図７に示すように、装着状態で平面視円形状となる一対の分割吸込渦防止部材３０Ａ，３０Ｂからなる。各分割吸込渦防止部材３０Ａ，３０Ｂは、装着状態で円環状をなす上枠部２１と、上枠部２１から鉛直下向きに延びる複数の支持部２７と、装着状態で円板状をなす下枠部２８と、装着状態で平面視＋字形状をなす邪魔板２９とを備えている。
【００３６】
前記上枠部２１は、半円環状をなす一対の分割上枠部３１Ａ，３１Ｂからなる。これら分割上枠部３１Ａ，３１は、その内径が吸込ベル６の取付フランジ部６ｃの内径と略同一に形成され、外径が吸込ベル６の下端外径より大きく形成されている。そして、各分割上枠部３１Ａ，３１Ｂには、装着状態で取付フランジ部６ｃの挿通孔１０に一致するネジ挿通孔２６が設けられている。また、分割上枠部３１Ａ，３１Ｂの両端外周部には、径方向外向きに突出する第１ブラケット部３２がそれぞれ設けられている。
【００３７】
前記支持部２７は、第１実施形態と同様のパイプからなる。そして、この支持部２７は、分割上枠部３１Ａ，３１Ｂに設けたネジ挿通孔２６と径方向に一致しないように、周方向に所定角度位相させて設けられている。
【００３８】
前記下枠部２８は、半円形状をなす一対の分割下枠部３３Ａ，３３Ｂからなる。これら分割下枠部３３Ａ，３３Ｂは、その外径が上枠部２１と同一外径で形成されており、各支持部２７の下端が連結されている。言い換えれば、対応する分割上枠部３１Ａと分割下枠部３３Ａおよび分割上枠部３１Ｂと分割下枠部３３Ｂは、それぞれ支持部２７によって一体的に連結されている。また、各分割下枠部３３Ａ，３３ＢＢには、湾曲した円弧縁の両端部に、径方向外向きに突出する分割上枠部３１と同様の第２ブラケット部３４がそれぞれ設けられている。
【００３９】
前記邪魔板２９は、各分割下枠部３３Ａ，３３Ｂに対して略Ｖ字形状をなすように、所定の支持部２７から吸込ベル６の軸芯に向けて突設されている。言い換えれば、邪魔板２９は、装着状態で中心となる分割下枠部３３Ａ，３３Ｂの直線縁中央から、平面視略Ｖ字形状をなすように軸方向に突設するとともに、径方向外向きに突設し、その外端が所定の支持部２７に連結されている。
【００４０】
この第２実施形態の吸込渦防止部材２０は、第１実施形態と同様に、ポンプケース５と吸込ベル６とがボルトで連結されていない状態で、一方の分割吸込渦防止部材３０Ａを吸込ベル６の取付フランジ部６ｃの下面側に径方向外側から配置する。そして、吸込ベル６の挿通孔１０と分割上枠部３１Ａのネジ挿通孔２６とを一致させ、ボルトにより締め付ける。ついで、他方の分割吸込渦防止部材３０Ｂを同様に配置し、吸込ベル６の挿通孔１０と分割上枠部３１Ｂのネジ挿通孔２６とを一致させ、ボルトにより締め付ける。これにより、一対の分割吸込渦防止部材３０Ａ，３０Ｂが吸込ベル６と一緒にポンプケース５に固定される。最後に、重畳した各分割吸込渦防止部材３０Ａ，３０Ｂの第１ブラケット部３２，３２に締付金具であるボルトとナットにより固定するとともに、同様にして第２ブラケット部３４，３４を固定する。
【００４１】
そして、このように構成した第２実施形態の吸込渦防止部材２０は、第１実施形態と同様の作用および効果を得ることができる。しかも、第２実施形態では、別体のスペーサ部材２４Ａ，２４Ｂが不要であるため、部品管理が容易である。
【００４２】
なお、本発明のポンプ用吸込渦防止部材２０は、前記実施形態の構成に限定されるものではなく、種々の変更が可能である。
【００４３】
例えば、第１実施形態では、スペーサ部材２４Ａ，２４Ｂを半円環形状となるように２分割したが、図８に示すように、不均等な割合で分割する構成としてもよい。この場合、略Ｃ字形状をなすスペーサ部材２４Ａは、分割端間の間隔Ｓが、吸込ベル６の最も小さい直径部分、即ち、縮径部と拡径部との境界部分の直径より大きくなるように形成する。勿論、第１実施形態のスペーサ部材２４Ａ，２４Ｂに限られず、同様に第２実施形態の分割吸込渦防止部材３０Ａ，３０Ｂの分割割合も変更可能である。しかも、各実施形態は、２分割のみに限られず、３以上に分割する構成としてもよい。
【００４４】
また、第２実施形態では、上枠部２１、下枠部２８および邪魔板２９の３要素をそれぞれ分割する構成としたが、図９に示すように、上枠部２１および下枠部２８を分割する構成とすれば、邪魔板２９は分割しない構成としてもよい。
【００４５】
さらに、前記各実施形態では、下枠部２８を円板形状に形成し、隣接する支持部２７，２７間からのみ水が流入する構成としたが、図１０に示すように、下枠部２８を円環形状に形成し、軸方向の下側からも流入可能に構成してもよい。この場合、下枠部２８を上枠部２１と同一形状のものを使用することにより、部品の共用を図ることが好ましい。
【００４６】
そして、前記各実施形態では、適用するポンプ２の吸込ベル６の下端直径が、取付フランジ部６ｃの挿通孔１０の形成位置の直径より大きいものであるため、少なくとも一部の部品を２以上に分割して構成したが、吸込ベル６の下端直径が取付フランジ部６ｃの挿通孔１０の形成位置直径より小さい場合には、分割部品を設ける必要はない。即ち、第１実施形態に示すスペーサ部材２４Ａ，２４Ｂを除いた如き構成とすればよい。
【００４７】
また、前記実施形態では、排水ポンプ場に設置するポンプ２に本発明の吸込渦防止部材２０を適用する構成としたが、排水用のポンプ２に限られず、給水用のポンプに適用しても同様の作用および効果を得ることができる。なお、給水用ポンプとしては、例えば発電所内の設備を冷却するために、冷却水として海水等を吸水して設備に供給する場合に使用される。即ち、本発明の吸込渦防止部材２０は、排水用や給水用などの目的および用途に限定されることなく、吸込ベル６を有するポンプであれば適用可能である。
【符号の説明】
【００４８】
２…ポンプ
３…ケーシング
４…揚水管
５…ポンプケース
５ａ，５ｂ…取付フランジ部
６…吸込ベル
６ａ…縮径部
６ｂ…拡径部
６ｃ…取付フランジ部
９…雌ネジ穴
１０…挿通孔
１１…羽根車
２０…吸込渦防止部材
２１…上枠部
２２…環状固定部
２４Ａ，２４Ｂ…スペーサ部材
２５…第１ネジ挿通孔
２６…第２ネジ挿通孔
２７…支持部
２８…下枠部
２９…邪魔板
３０Ａ，３０Ｂ…分割吸込渦防止部材
３１Ａ，３１Ｂ…分割上枠部
３３Ａ，３３Ｂ…分割下枠部
【図１】
2010190184.tif 000003
【図２】
2010190184.tif 000004
【図３】
2010190184.tif 000005
【図４】
2010190184.tif 000006
【図５】
2010190184.tif 000007
【図６】
2010190184.tif 000008
【図７】
2010190184.tif 000009
【図８】
2010190184.tif 000010
【図９】
2010190184.tif 000011
【図１０】
2010190184.tif 000012